(57)【要約】【課題】  フェース部材の強度を維持しつつ、フェース部材の軽量化を図ることができるとともに、各打点におけるフェース部材のＣＴ値のバラツキを抑えて、スイートスポット以外の打点のＣＴ値が均等なゴルフクラブヘッドを提供する。【解決手段】  フェース部１０は、中央の厚肉部１６と、外周に位置する外周部１１を有する。厚肉部１６は、略楕円形状を、フェース部の中心方向に向かって略円弧状に窪ませた平面形状を有するとともに、最も大きな肉厚を有する中心部１７と、中心部１７を取り囲み、中心部１７よりも肉厚が小さい第１の尾根１８と、中心部１７と第１の尾根１８との間に位置し、第１の尾根１８よりも肉厚が小さい第１の谷１９を有する。外周部１１は、厚肉部の窪み１３に隣接し、薄い肉厚の薄肉領域１４と、厚肉部からヒール側クラウン方向およびトウ側ソール方向へ延び、厚い肉厚の厚肉領域１２を有する。【選択図】図３
2012120676.tif 000002
【特許請求の範囲】
【請求項１】
金属材料で形成されたフェース部を備えたゴルフクラブヘッドであって、前記フェース部は、このフェース部の中央に位置する厚肉部と、この厚肉部の外周に位置する外周部とを備えており、
前記厚肉部が、略楕円形状または略円形状を、互いに対向する２つの側において、前記フェース部の中心方向に向かって略円弧状に窪ませた平面形状を有しており、
前記厚肉部が、最も大きな肉厚を有する前記フェース部の中心部と、前記中心部を取り囲んでおり、前記中心部よりも小さな肉厚を有する第１の尾根と、前記中心部と前記第１の尾根との間の第１の谷であって、前記第１の尾根よりも小さな肉厚を有する第１の谷とを備えており、
前記外周部が、前記厚肉部の２つの略円弧状の窪み部分にそれぞれ隣接し、薄い肉厚を有する２つの薄肉領域と、前記厚肉部の略楕円形状または略円形状の部分からヒール側クラウン方向およびトウ側ソール方向へそれぞれ延び、厚い肉厚を有する２つの厚肉領域とを備えているゴルフクラブヘッド。
【請求項２】
前記外周部の２つの薄肉領域が、前記厚肉部の２つの略円弧状の窪み部分から前記フェース部の端部までそれぞれ延びる請求項１に記載のゴルフクラブヘッド。
【請求項３】
前記外周部の２つの厚肉領域が、前記厚肉部の略楕円形状または略円形状の部分から前記フェース部の端部までそれぞれ延びる請求項１または２に記載のゴルフクラブヘッド。
【請求項４】
前記外周部の薄肉領域の１つが、前記外周部の厚肉領域の１つと隣接する請求項１〜３のいずれか一項に記載のゴルフクラブヘッド。
【請求項５】
前記薄肉領域の肉厚が１．８〜２．２ｍｍで、前記厚肉領域の肉厚が２．５〜３．０ｍｍである請求項１〜４のいずれか一項に記載のゴルフクラブヘッド。
【請求項６】
前記外周部が、前記薄肉領域と前記厚肉領域との間の肉厚を有する中肉領域を更に備える請求項１〜５のいずれか一項に記載のゴルフクラブヘッド。
【請求項７】
前記厚肉部の２つの略円弧状の窪みのうち、トウ側の窪みはソール方向斜めを向いており、ヒール側の窪みはクラウン方向斜めを向いている請求項１〜６のいずれか一項に記載のゴルフクラブヘッド。
【請求項８】
前記フェース部の中心を通る前記フェース部の高さに対して、前記第１の谷の上側から下側の長さが３０〜５０％である請求項１〜７のいずれか一項に記載のゴルフクラブヘッド。
【請求項９】
前記フェース部の中心を通る前記フェース部の高さに対して、前記第１の尾根の上側から下側の長さが４０〜６０％である請求項１〜８のいずれか一項に記載のゴルフクラブヘッド。
【請求項１０】
前記中心部の肉厚と前記第１の尾根の肉厚との差が０．０５〜０．５ｍｍであり、前記第１の尾根の肉厚と前記第１の谷の肉厚との差が０．０５〜０．３ｍｍである請求項１〜９のいずれか一項に記載のゴルフクラブヘッド。
【請求項１１】
前記厚肉部が、前記第１の尾根を取り囲んでおり、該第１の尾根よりも小さな肉厚を有する第２の尾根と、前記第１の尾根と前記第２の尾根との間の第２の谷であって、前記第２の尾根よりも小さな肉厚を有する第２の谷とを更に備えている請求項１〜１０のいずれか一項に記載のゴルフクラブヘッド。
【発明の詳細な説明】
【技術分野】
【０００１】
本発明は、ゴルフクラブヘッドに関し、詳しくは、位置によって肉厚の異なる厚肉部をフェース部材の裏面に設けたゴルフクラブヘッドに関する。
【背景技術】
【０００２】
最近のウッドクラブのヘッドは、金属材料で少なくともフェース部分を形成したものが大半を占める。フェース部分の肉厚は、ボールとの衝撃に耐え得る強度を保つために肉厚を厚くする必要がある。ヘッドの大型化が進んでいるが、ルール上４６０ｃｍ３＋許容誤差１０ｃｍ３の体積より小さくしなければならないとされることから、ドライバーのヘッドは上限にきわめて近い４６０ｃｍ３の大型ヘッドが大半を占めるに至っている。ヘッドサイズを大きくすると、スイートエリアが拡大し、周辺重量配分が強調され、左右、上下の慣性モーメントが大きくなるので、オフセンターヒット時のミスを軽減させることができる。しかしながら、ヘッドサイズを大きくし、ヘッド重量も増大させてしまうと、スイングバランスが大きくなり、ヘッドスピードが落ちて飛距離ダウンになりかねない。そこで、比重が軽く、強度も大きなチタン又はその合金（特に言及しない限り、併せて以下「チタン」という）でヘッド全体を形成するか、カーボンとチタンのコンポジットヘッドにするなどの手段が採用されている。
【０００３】
また、ヘッドサイズを大きくするのみならず、ヘッドの反発性能を高めた高反発ヘッドも数多く開発されるに至った。高反発ヘッドについては、２００８年から反発係数が０．８３０以上のものは、競技では使用できないことになった。今までは、ヘッドの大型化と平行して反発係数が上がる肉厚フェース材を積極的に用いるものが多かった。しかし、高反発ヘッドでもスイートエリア以外のフェース部分でのヒット、すなわちオフセンターヒットではスプリング効果は期待できず、飛距離が極端に低下してしまう問題があった。
【０００４】
このような問題を解決すべく、フェース部材の裏面の中心を取り囲むように厚肉部を設けて、該フェースの中心の肉厚を小さくすることにより、スイートスポットを外してボールを打った場合でもボールに高い初速を与えられるゴルフクラブヘッドが開発されている（特許文献１参照）。
【０００５】
また、フェース裏面の中央に突起ブロックを設け、この突起ブロックを取り囲むように環状リブを２つ設けたことにより、ゴルフクラブヘッドの強度を高めるとともに、安定した打撃を可能とするゴルフクラブヘッドが開発されている（特許文献２参照）。
【先行技術文献】
【特許文献】
【０００６】
【特許文献１】米国特許第６８２４４７５号明細書（Ｆｉｇ．５Ａ）
【特許文献２】米国特許第７４４８９６１号明細書（Ｆｉｇ．１）
【発明の概要】
【発明が解決しようとする課題】
【０００７】
しかし、特許文献１及び２に記載されているゴルフクラブヘッドにおいては、フェースの裏面を肉厚としたことにより、肉厚としない場合と比較してヘッド全体の重量が増加してしまうという問題がある。また、ボールの打点によって、ＣＴ値（Contact Time Value）と呼ばれるボールの反発性能を表す値が大きく異なるという問題がある。
【０００８】
そこで、本発明は、上記の問題に鑑み、フェース部材の強度を維持しつつ、フェース部材の軽量化を図ることができるとともに、各打点におけるフェース部材のＣＴ値のバラツキを抑えて、スイートスポット以外の打点におけるＣＴ値がスイートスポットにおけるＣＴ値とほぼ等しいゴルフクラブヘッドを提供することを目的とする。
【課題を解決するための手段】
【０００９】
上記目的を達成するため、本発明に係るゴルフクラブヘッドは、金属材料で形成されたフェース部を備えており、このフェース部は、フェース部の中央に位置する厚肉部と、この厚肉部の外周に位置する外周部とを備えており、前記厚肉部は、略楕円形状または略円形状を、互いに対向する２つの側において、前記フェース部の中心方向に向かって略円弧状に窪ませた平面形状を有しており、前記厚肉部は、最も大きな肉厚を有する前記フェース部の中心部と、前記中心部を取り囲んでおり、前記中心部よりも小さな肉厚を有する第１の尾根と、前記中心部と前記第１の尾根との間の第１の谷であって、前記第１の尾根よりも小さな肉厚を有する第１の谷とを備えており、前記外周部は、前記厚肉部の２つの略円弧状の窪み部分にそれぞれ隣接し、薄い肉厚を有する２つの薄肉領域と、前記厚肉部の略楕円形状または略円形状の部分からヒール側クラウン方向およびトウ側ソール方向へそれぞれ延び、厚い肉厚を有する２つの厚肉領域とを備えているものである。
【００１０】
前記外周部の２つの薄肉領域は、前記厚肉部の２つの略円弧状の窪み部分から前記フェース部の端部までそれぞれ延びていてもよい。また、前記外周部の２つの厚肉領域は、前記厚肉部の略楕円形状または略円形状の部分から前記フェース部の端部までそれぞれ延びていてもよい。前記外周部の薄肉領域の１つは、前記外周部の厚肉領域の１つと隣接していてもよい。
【００１１】
前記薄肉領域の肉厚は１．８〜２．２ｍｍが好ましく、前記厚肉領域の肉厚は２．５〜３．０ｍｍが好ましい。前記外周部は、前記薄肉領域と前記厚肉領域との間の肉厚を有する中肉領域を更に備えていてもよい。
【００１２】
前記厚肉部の２つの略円弧状の窪みのうち、トウ側の窪みはソール方向斜めを向いており、ヒール側の窪みはクラウン方向斜めを向いていることが好ましい。前記フェース部の中心を通る前記フェース部の高さに対し、前記第１の谷の上側から下側の長さはその３０〜５０％とすることが好ましい。また、前記フェース部の中心を通る前記フェース部の高さに対し、前記第１の尾根の上側から下側の長さはその４０〜６０％とすることが好ましい。
【００１３】
前記中心部の肉厚と前記第１の尾根の肉厚との差は０．０５〜０．５ｍｍとすることが好ましく、前記第１の尾根の肉厚と前記第１の谷の肉厚との差は０．０５〜０．３ｍｍとすることが好ましい。前記厚肉部は、前記第１の尾根を取り囲んでおり、該第１の尾根よりも小さな肉厚を有する第２の尾根と、前記第１の尾根と前記第２の尾根との間の第２の谷であって、前記第２の尾根よりも小さな肉厚を有する第２の谷とをさらに備えることもできる。
【発明の効果】
【００１４】
このように本発明に係るゴルフクラブヘッドは、フェース部の中央の厚肉部が、略楕円形状または略円形状を、互いに対向する２つの側において、フェース部の中心方向に向かって略円弧状に窪ませた平面形状を有するとともに、最も大きな肉厚を有する前記フェース部の中心部と、この中心部を取り囲んでおり、中心部よりも小さな肉厚を有する第１の尾根と、中心部と第１の尾根との間の第１の谷であって、第１の尾根よりも小さな肉厚を有する第１の谷とを備え、また、厚肉部の外周に位置する外周部が、前記厚肉部の２つの略円弧状の窪み部分にそれぞれ隣接し、薄い肉厚を有する２つの薄肉領域と、前記厚肉部の略楕円形状または略円形状の部分からヒール側クラウン方向およびトウ側ソール方向へそれぞれ延び、厚い肉厚を有する２つの厚肉領域とを備えることから、これにより、フェース部材の強度を維持しつつ、フェース部材の軽量化を図ることができるとともに、各打点におけるＣＴ値のバラツキが抑えられて、スイートスポット以外の打点におけるＣＴ値がスイートスポットにおけるＣＴ値とほぼ等しくなる。そのため、スイートスポットを外してボールを打った場合でもボールの飛距離を大きくすることができる。
【図面の簡単な説明】
【００１５】
【図１】本発明に係るゴルフクラブヘッドの一実施形態を示す正面図である。
【図２】図１のII−II線におけるゴルフクラブヘッドの模式的な断面図である。
【図３】図１に示すゴルフクラブヘッドを構成するフェース部を示す裏面図である。
【図４】図３のIII−III線におけるフェース部の模式的な断面図である。
【図５】図３のフェース部について、フェース部の高さに対し、中心部、第１の谷、第１の尾根の各高さの関係を示す裏面図である。
【図６】図３のフェース部において楕円の角度を示す裏面図である。
【図７】第２の実施形態におけるフェース部の裏面図である。
【図８】第３の実施形態におけるフェース部の模式的な断面図である。
【図９】第４の実施形態におけるフェース部の模式的な断面図である。
【図１０】第５の実施形態におけるフェース部を示す裏面図である。
【図１１】実施例のシミュレーションにおける打点の位置を示す裏面図である。
【図１２】比較例のフェース部材の模式的な断面図である。
【発明を実施するための形態】
【００１６】
以下、添付図面を参照して、本発明に係るゴルフクラブヘッドの実施の形態について説明する。なお、図面は、本発明の構成を容易に理解できるように意図したものであって、縮尺通りに描いたものではない。
【００１７】
図１及び図２に示すように、ゴルフクラブヘッド１は、フェース部を備えたフェース部材１０と本体部材３０とから構成されている。本体部材３０は、クラウン部４とソール部５とホゼル部６とサイド部７とを備えており、これらは一体的に形成されている。このフェース部材１０と本体部分３０は溶接により接合され、これによって内部が中空構造のゴルフクラブヘッド１が構成される。なお、図１では、フェース部材１０の中空構造側の表面、すなわち裏面に表われる構成を破線で示した。フェース部材１０の裏面には、フェース部材１０の肉厚を変化させるための凹凸が形成されている。フェース部材１０の裏面について説明する。
【００１８】
図３に示すように、フェース部材１０の裏面には、平らな表面を有する外周部１１上において、ライン１３で示される楕円内に厚肉部１６が形成されている。但し、楕円の長軸の両端部分には、それぞれ、厚肉部１６を中心方向に向かって円弧状に窪ませた窪み１５ａ、１５ｂが形成されている。すなわち、厚肉部１６は、この窪み１５と、楕円の短軸の両側部分の楕円ライン１３とにより囲まれている。
【００１９】
図３及び図４に示すように、厚肉部１６の中心には、フェース部材１０において最も大きな肉厚Ｔ１を有し、表面が平らで略台形状の中心部１７が形成されている。この中心部１７から楕円ライン１３に放射状に向かうにつれて、先ず、肉厚が徐々に小さくなった後、徐々に大きくなる。すなわち、中心部１７を取り囲むように第１の谷１９が形成されている。
【００２０】
次に、第１の谷１９から楕円ライン１３に放射状に向かうにつれて肉厚が徐々に大きくなった後、再び徐々に小さくなる。すなわち、第１の谷１９を取り囲むように第１の尾根１８が形成されている。
【００２１】
第１の尾根１８から楕円ライン１３または窪み１５に放射状に向かうにつれて、肉厚は徐々に小さくなる。厚肉部１６の外縁、すなわち、楕円ライン１３および窪み１５の位置における肉厚は、以下に説明する部分を除き、基本的に同じになっている。
【００２２】
楕円ライン１３または窪み１５からフェース部材１０の外縁までの範囲、すなわち、外周部１１では、上述したような肉厚が放射状に漸次変化することはなく、基本的に肉厚は一定であるが、３つの異なる肉厚の領域が形成されている。第１の領域は、厚肉部の窪み１５と楕円ライン１３とにより囲まれ、薄い肉厚を有する薄肉領域１２である。第２の領域は、厚肉部の楕円ライン１３からヒール側クラウン方向またはトウ側ソール方向のフェース部端部まで延び、厚い肉厚を有する厚肉領域１４である。第３の領域は、これら以外の領域であって、薄肉領域１２と厚肉領域１４との間の肉厚を有する中肉領域１１ａである。厚肉部および外周部の各構成について、更に詳しく説明する。
【００２３】
厚肉部１６の中心部１７は、ゴルフクラブヘッド１のスイートスポットを含む。また、この中心部１７は、ライン１３で示される楕円の長軸と短軸との交点、すなわち楕円の中心をも含む。この交点とスイートスポットとは、同一であってもよいし、異なってもよい。
【００２４】
中心部１７の肉厚Ｔ１は２．０〜３．８ｍｍの範囲が好ましい。第１の尾根１８の肉厚Ｔ２は、中心部１７の肉厚Ｔ１よりも小さく、２．０〜３．６ｍｍの範囲が好ましい。Ｔ１とＴ２の差は０．０５ｍｍ以上が好ましく、０．１ｍｍ以上がより好ましい。また、この差は０．５ｍｍ以下が好ましく、０．４ｍｍ以下がより好ましい。
【００２５】
第１の谷１９の肉厚Ｔ３は、第１の尾根１８の肉厚Ｔ２よりも小さく、２．０〜３．５ｍｍの範囲が好ましい。Ｔ２とＴ３との差は０．０５ｍｍ以上が好ましく、０．２ｍｍ以上がより好ましい。また、この差は０．３ｍｍ以下が好ましく、０．２ｍｍ以下がより好ましい。
【００２６】
外周部の中肉領域１１ａの肉厚Ｔ５は、第１の谷１９の肉厚Ｔ３よりも小さく、２．２〜２．５ｍｍの範囲が好ましい。Ｔ３とＴ５との差は０．１ｍｍ以上が好ましく、０．３ｍｍ以上がより好ましい。また、この差は１．５ｍｍ以下が好ましく、１．０ｍｍ以下がより好ましい。
【００２７】
外周部の薄肉領域１４の肉厚Ｔ４は、１．８〜２．２ｍｍの範囲が好ましい。Ｔ４とＴ５との差は、０．１ｍｍ以上が好ましく、０．２ｍｍ以上がより好ましい。外周部の厚肉領域１２の肉厚は、第１の尾根１８の肉厚Ｔ２よりも小さく、２．５〜３．０ｍｍの範囲が好ましい。厚肉領域１２と中肉領域１１ａとの肉厚の差は、０．５ｍｍ以上が好ましく、０．７ｍｍ以上がより好ましい。なお、厚肉部の第１の尾根１８から外周部の厚肉領域１２へは、徐々に肉厚が小さくなるように形成されている。すなわち、厚肉部の楕円ライン１３の位置における肉厚は、外周部の厚肉領域１２が隣接する部分と、その他の楕円ライン１３の部分とでは異なるように形成されている。
【００２８】
また、外周部の厚肉領域１２は、図３に示すように、厚肉部と隣接する位置からフェース部材の端部まで、徐々に幅が狭くなるように形成されている。厚肉領域１２の最小幅は、２ｍｍ以上が好ましく、３ｍｍ以上がより好ましい。また、厚肉領域１２の最大幅は、１５ｍｍ以下が好ましく、１２ｍｍ以下がより好ましい。
【００２９】
図５に示すように、フェース部材１０の中心を通るフェース部材１０の高さＨ１を１００％とすると、このフェース部材１０の高さ方向において、厚肉部の第１の尾根１８の上側から下側の間の長さＨ２は、４０〜６０％とすることが好ましい。同様に、第１の谷１９の上側から下側の間の長さＨ３は、３０〜５０％とすることが好ましい。また、同様に、中心部１７の縁の上側から下側の間の長さＨ４は、１０〜４０％とすることが好ましい。
【００３０】
図６に示すように、楕円ライン１３で示される楕円の長軸は、トウ３側がクラウン方向に、ヒール２側がソール方向に傾いている。これは、一般に、ゴルファーの打点のばらつきが、トウ３側ではクラウン側に、ヒール２側ではソール側に片寄っていることから、このように傾けた。具体的には、ゴルフクラブヘッドを通常のアドレスポジションに置いたときの水平線４０に対して、楕円の長軸４２の傾きθが、約５°以上となるように配置することが好ましく、約１０°以上となるように配置することがより好ましい。また、楕円の長軸４２の傾きθは、約４０°以下が好ましく、約３０°以下がより好ましい。
【００３１】
楕円ライン１３で示される楕円の長軸と短軸の長さの比率は、１００：５０〜５０：５０の範囲内が好ましく、９５：５０〜７０：５０の範囲内がより好ましい（長軸と短軸が同じ比率の場合は、楕円でなく、円となることは言うまでもない）。また、厚肉部１６の楕円長軸における長さ（すなわち、窪み１５ａ、１５ｂ間の長さ）と楕円短軸における長さの比率は、５：４〜５：６の範囲内が好ましい。ソール側の窪み１５ａの曲率半径は、約１２ｍｍ以上が好ましく、約１３ｍｍ以上がより好ましい。ソール側の窪み１５ａの曲率半径は、約２５ｍｍ以下が好ましく、約２０ｍｍ以下がより好ましい。
【００３２】
フェース部材１０は、鍛造、鋳造いずれの方法でも形成可能である。また、フェース部材１０の材料としては、チタンまたはチタン合金やステンレス鋼などを用いることができる。ゴルフクラブヘッド１の体積は、約１６０ｃｃ以上が好ましく、約３５０ｃｃ以上と大型にすることがより好ましい。一方、ゴルフクラブヘッド１の体積は、約５００ｃｃ以下が好ましく、約４８０ｃｃ以下がより好ましい。また、ゴルフクラブヘッド１の重量は、約１５０ｇ以上が好ましく、約１６０ｇ以上がより好ましい。一方、ゴルフクラブヘッド１の重量は、約２５０ｇ以下が好ましく、約２００ｇ以下と軽量なものがより好ましい。
【００３３】
なお、図４では、本発明の構成を容易に理解できるように、フェース部材１０の打球側の表面を平らに示したが、フェース部材１０の打球面には、曲率半径２５０ｍｍ〜８００ｍｍのバルジを形成することができる。また、同様に、フェース部材の打球面には、曲率半径２５０ｍｍ〜８００ｍｍのロールを形成することができる。
【００３４】
図１〜図６を参照して本発明の一実施の形態について説明してきたが、本発明は、この実施の形態に限定されるものではない。例えば、図３では、外周部の薄肉領域１４ａ、１４ｂは厚肉部の窪み１５ａ、１５ｂ部分から楕円ライン１３までの間にそれぞれ形成されていたが、図７に示すように、外周部１１の薄肉領域１４ｃ、１４ｄは、窪み１５ａ、１５ｂ部分から、フェース部材１０のトウ側およびヒール側の端部までそれぞれ延ばすこともできる。
【００３５】
また、図３では、外周部の厚肉領域１２ａ、１２ｂは、厚肉部から外周方向に向かって幅が狭くなるように形成されていたが、図７に示すように、外周部の厚肉領域１２ｃ、１２ｄは、厚肉部から外周方向に向かって幅が広くなるように形成することもできる。さらに、図７に示すように、外周部の厚肉領域１２ｃ、１２ｄと薄肉領域１４ｃ、１４ｄとをそれぞれ隣接させることもできる。これにより、外周部の中肉領域１１ｂは、厚肉部の上端とフェース部材のクラウン側の端部との間、および厚肉部の下端とフェース部材のソール側の端部との間にのみ位置するようになるが、このように外周部の薄肉領域１４の面積を大幅に広げることで、フェース部の軽量化をより一層図ることができる。
【００３６】
また、図４では、厚肉部は、肉厚が徐々に変化するように形成していたが、これに限定されず、図８に示すように、厚肉部は、肉厚Ｔ３を有する第１の谷１９の底が、ある一定の面積を有するように形成してもよいし、肉厚Ｔ２を有する第１の尾根１８の頂上が、ある一定の面積を有するように形成してもよい。このように厚肉部の肉厚が階段状に変化するようにしても、同様の効果を得ることができる。
【００３７】
別の実施形態として、図９に示すように、中心部１７の縁から第１の谷１９にかけて肉厚が徐々に小さくならず、すなわち、第１の谷１９が中心部１７の縁の直下に位置するようにしてもよい。同様に、第１の尾根１８から窪み１５にかけては肉厚が徐々に小さくならず、第１の尾根１８が窪み１５の真上に位置するようにしてもよい。このように厚肉部の肉厚を変化させても、同様の効果を得ることができる。
【００３８】
さらに、図３では、厚肉部に一組の谷と尾根を形成したが、これに限定されず、複数組の谷と尾根を形成することもできる。例えば、図１０に示すように、第１の尾根１８を取り囲むように第２の谷２２と第２の尾根２１とが順に形成されている。
【００３９】
第２の谷２２の肉厚は、第１の谷１９の肉厚Ｔ３よりも小さく、かつ外周部の中肉領域１１ａの肉厚Ｔ５よりも大きいかまたは等しい。第２の谷２２の肉厚と第１の谷１９の肉厚Ｔ３との差は、０．１ｍｍ以上が好ましく、０．３ｍｍ以上がより好ましい。また、この差は１．０ｍｍ以下が好ましく、０．８ｍｍ以下がより好ましい。
【００４０】
第２の尾根２１の肉厚は、第１の尾根１８の肉厚Ｔ２よりも小さく、かつ第２の谷２２の肉厚よりも大きい。第２の尾根２１の肉厚と第１の尾根１８の肉厚Ｔ２との差は０．１ｍｍ以上が好ましく、０．３ｍｍ以上がより好ましい。また、この差は１．５ｍｍ以下が好ましく、１．０ｍｍ以下がより好ましい。
【００４１】
なお、図１に示すように、ゴルフクラブヘッド１のフェース部全体がフェース部材１０となる場合の実施形態について説明してきたが、本発明はこれに限定されず、例えば、フェース部の中央の部分をフェース部材とし、フェース部の両端の残りの部分をヘッド本体と一体的に形成するようにしてもよい。
【実施例】
【００４２】
本発明のフェース部材についてのＣＴ値（Contact Time Value）を、コンピュータを用いたシミュレーションによって算出した（実施例１）。フェース部材の構成は、図３及び図４に示したものを採用した。フェース部材の設計条件としては、厚肉部の中心部の肉厚Ｔ１を３．７ｍｍ、第１の尾根の肉厚Ｔ２を３．５ｍｍ、第１の谷の肉厚Ｔ３を３．０ｍｍとし、外周部の厚肉領域の肉厚を２．７ｍｍ、トウ側の薄肉領域の肉厚を２．２ｍｍ、ヒール側の薄肉領域の肉厚を１．９ｍｍ、中肉領域の肉厚Ｔ５を２．４ｍｍとした。フェース部材の高さＨ１を５０ｍｍとし、第１の尾根の上側から下側の長さＨ２を３０ｍｍとし、第１の谷の上側から下側の長さＨ３を２０ｍｍとし、中心部の縁の上側から下側の長さＨ４を１４ｍｍとした。
【００４３】
また、楕円の長軸の長さを６４ｍｍ、短軸の長さを４０ｍｍ、楕円の角度θを１５°とした。トウ側の窪み１５ｂの曲率半径を３２ｍｍとし、ヒール側の窪みの曲率半径を１２ｍｍとした。フェース部全体に占める外周部と厚肉部の面積の割合は、７：５とした。なお、中心部は厚肉部に含めて計算したが、中心部の面積は、フェース部全体の面積の約３％となった。外周部の厚肉領域の幅は４〜１０ｍｍとした。フェース部材の材料はチタン合金を想定し、ヤング率は１０８ＧＰａ、ポアソン比は０．３０とした。
【００４４】
ボールの打点は、図１１に示すように、垂直方向および水平方向に異なる１５の打点について調べた。中央の打点５０ｃは、スウィートスポットでの打球を想定しており、フェース部材の中心部内とした。それ以外の１４の打点は、スウィートスポットを外した打球を想定した。中央の打点５０ｃからトウ側およびヒール側にそれぞれ１０ｍｍ離れた位置を、打点５０ｂ、５０ｄとし、さらにトウ側およびヒール側にそれぞれ１０ｍｍ離れた位置を、打点５０ａ、５０ｅとした。また、これら、５つの打点５０ａ〜５０ｅのクラウン側およびソール側にそれぞれ１０ｍｍ離れた位置を、５０ａＨ〜５０ｅＨおよび５０ａＬ〜５０ｅＬとした。
【００４５】
打点５０ａ、５０ａＨ、５０ａＬ、５０ｅ、５０ｅＨは、ほぼ、厚肉部の第１の尾根と窪み又は楕円ラインとの間に位置していた。打点５０ｅＬは、外周部の薄肉領域に位置していた。また、打点５０ｂ、５０ｂＨ、５０ｃＨ、５０ｃＬ、５０ｄ、５０ｄＬは、ほぼ、中心部の縁と第１の谷との間に位置していた。打点５０ｂＬ、５０ｄＨは、ほぼ、第１の谷と第１の尾根のとの間に位置していた。
【００４６】
また、比較のために、図１２に示す厚肉部およびリブを備えたフェース部材について、上記と同様のシミュレーションを行った（比較例１）。中心部６７の肉厚は、実施例１と同様に最大３．７ｍｍであるが、中心部から厚肉部６６の外縁に向かって放射状に肉厚が徐々に小さくなるように構成した。厚肉部６６の外縁、すなわち、外周部１１の肉厚は、実施例１と同様に２．４ｍｍとした。外周部の薄肉領域６４の肉厚は、トウ側もヒール側も２．１ｍｍとした。比較例１では、中心部６７からフェース部材の外縁へと延びる２本のリブ６２を設けた。このリブ６２の肉厚は３．３ｍｍとした。
【００４７】
以上のような実施例１と比較例１のシミュレーション結果を表１及び表２に示す。なお、表では、中央の打点５０ｃの位置を０ｍｍとし、クラウン側又はヒール側に向かう距離をプラスで、ソール側又はトウ側に向かう距離をマイナスで表した。また、表の結果は、中央の打点５０ｃのＣＴ値を１００とした場合の比で示した。
【００４８】
【表１】
2012120676.tif 000003
【００４９】
【表２】
2012120676.tif 000004
【００５０】
表１及び表２に示すように、厚肉部の肉厚が中心部から外側に向かって徐々に小さくなるとともに、中心部から部材の外縁までリブを設けた比較例１に比べて、厚肉部に谷と尾根が形成させるように肉厚を変化させ、外周部に厚肉領域を設けた実施例１は、特に、高さ方向０ｍｍ及び１０ｍｍの打点において、均等なＣＴ値を得ることができた。よって、スイートスポットをはずしてボールを打った場合でも、スイートスポットでボールを打った場合に近い反発性が発揮できることがわかる。
【００５１】
また、比較例１のフェース部材の重量は３１．９９ｇであったのに対し、実施例１のフェース部材の重量は３１．３７ｇであった。つまり、０．６２ｇの軽量化を達成することができた。
【符号の説明】
【００５２】
１  ゴルフクラブヘッド
２  ヒール
３  トウ
４  クラウン部
５  ソール部
６  ホゼル部
７  サイド部
１０  フェース部材
１１  外周部
１２  厚肉領域
１３  楕円ライン
１４  薄肉領域
１５  窪み
１６  厚肉部
１７  中心部
１８  第１の尾根
１９  第１の谷
２１  第２の尾根
２２  第２の谷
３０  ヘッド本体
４０  水平線
４２  楕円の長軸
５０  打点
【図１】
2012120676.tif 000005
【図２】
2012120676.tif 000006
【図３】
2012120676.tif 000007
【図４】
2012120676.tif 000008
【図５】
2012120676.tif 000009
【図６】
2012120676.tif 000010
【図７】
2012120676.tif 000011
【図８】
2012120676.tif 000012
【図９】
2012120676.tif 000013
【図１０】
2012120676.tif 000014
【図１１】
2012120676.tif 000015
【図１２】
2012120676.tif 000016